(57)【特許請求の範囲】
【請求項１】
貯湯タンク（２）と、浴槽（４）と、貯湯タンク（２）内の高温湯で浴槽（４）内の温湯を加熱して追い焚きを行う風呂用熱交換器（３）とを備え、温水供給部から浴槽へ温湯を供給する追加注湯運転と、風呂用熱交換器（３）で浴槽（４）内の温湯を加熱する追い焚き運転とを併用し、浴槽（４）内が目標湯量で、かつ目標湯温となるように湯はり運転を行うべく構成し、上記浴槽（４）内の残湯量と残湯温度とに基づいて、温水供給部から浴槽（４）へと供給する温湯の湯温と湯量とを算出すると共に、上記算出された供給温湯の湯温と湯量とに基づいて上記追加注湯運転が行われる貯湯式給湯機において、温水供給部から浴槽（４）へと供給される温湯温度が所定温度以上であるときに高温警告信号を発しながらも、上記追加注湯運転をそのまま継続することを特徴とする貯湯式給湯機。
【請求項２】
さらに、必要な追い焚き熱量を算出し、この算出熱量に基づいて追い焚き運転を行うことを特徴とする請求項１の貯湯式給湯機。
【請求項３】
上記高温警告信号は、上記算出された供給温湯の湯温が所定温度以上であるときに高温警告信号を発することを特徴とする請求項１又は請求項２の貯湯式給湯。
【請求項４】
上記温水供給部に温度センサ（２４）を配置しておき、この温度センサ（２４）での検出湯温が所定温度以上であるときに高温警告信号を発することを特徴とする請求項１又は請求項２の貯湯式給湯機。
【請求項５】
上記高温警告信号の出力によって、高温警告が風呂用リモコンＲに可視的に及び／又は音により表示されることを特徴とする請求項１〜請求項４のいずれかの貯湯式給湯機。
【請求項６】
上記温水供給部は、上記貯湯タンク（２）から供給される高温水と外部から供給される水とを混合することにより、上記浴槽（４）内に供給する温水を追加注湯温度に調整するものであることを特徴とする請求項１〜請求項５のいずれかの貯湯式給湯機。
【発明の詳細な説明】
【技術分野】
【０００１】
この発明は、貯湯式給湯機に関するものである。
【背景技術】
【０００２】
ヒートポンプ加熱源で加熱された高温湯を貯留する貯湯タンクと、浴槽と、浴槽の追い焚き（保温）を行うための浴槽用熱交換器とを備えた貯湯式給湯機は公知である（例えば、特許文献１、２参照）。この種の貯湯式給湯機においては、浴槽の湯はり、追い焚き、高温たし湯、保温などの運転が行われる。
【特許文献１】特開２００３−１０６６７２号公報
【特許文献２】特開２００５−１０６４４０号公報
【発明の開示】
【発明が解決しようとする課題】
【０００３】
ところで、上記従来の貯湯式給湯機給湯機においては、追い焚き、高温たし湯のように高温湯を浴槽内に流入させる場合には、事前にリモコンにその旨を表示したり、リモコンから音声でその旨を告知したりして安全性を確保している。
【０００４】
しかしながら、浴槽への湯はり運転に際しては、その旨の告知は行われていないのが実情である。それは従来から、湯はり運転は浴槽内に残湯が存在せず、空の浴槽内に適温に調整された温湯を供給することによって湯はりが行われてきたためであり、湯はり運転時に高温湯が浴槽内に流入してくることを想定していなかったためである。
【０００５】
ところが、貯湯式給湯機におけるエネルギ効率の向上を図る必要性が極めて高くなった近年の状況下においては、浴槽内の残湯が有するエネルギを有効に活用しようとする動きが顕著に現れてきている。そのため、残湯の残存する浴槽内に高温湯を流入させて残湯と混合し、これを風呂用熱交換器で加熱する方式の湯はり運転が一般的に行われている。
【０００６】
この発明は、上記従来の欠点を解決するためになされたものであって、その目的は、湯はり運転時において、高温湯が浴槽内に流入してくるときには、その旨を使用者に告知し、これにより使用上の安全性を向上することが可能な貯湯式給湯機を提供することにある。
【課題を解決するための手段】
【０００７】
そこで、請求項１の貯湯式給湯機は、貯湯タンク２と、浴槽４と、貯湯タンク２内の高温湯で浴槽４内の温湯を加熱して追い焚きを行う風呂用熱交換器３とを備え、温水供給部から浴槽へ温湯を供給する追加注湯運転と、風呂用熱交換器３で浴槽４内の温湯を加熱する追い焚き運転とを併用し、浴槽４内が目標湯量で、かつ目標湯温となるように湯はり運転を行うべく構成し、上記浴槽４内の残湯量と残湯温度とに基づいて、温水供給部から浴槽４へと供給する温湯の湯温と湯量とを算出すると共に、上記算出された供給温湯の湯温と湯量とに基づいて上記追加注湯運転が行われる貯湯式給湯機であって、温水供給部から浴槽４へと供給される温湯温度が所定温度以上であるときに高温警告信号を発しながらも、上記追加注湯運転をそのまま継続することを特徴としている。また、請求項２の貯湯式給湯機は、さらに、必要な追い焚き熱量を算出し、この算出熱量に基づいて追い焚き運転を行うことを特徴としている。
【０００８】
請求項３の貯湯式給湯機は、上記高温警告信号は、上記算出された供給温湯の湯温が所定温度以上であるときに高温警告信号を発することを特徴としている。 
【０００９】
請求項４の貯湯式給湯機は、上記温水供給部に温度センサ２４を配置しておき、この温度センサ２４での検出湯温が所定温度以上であるときに高温警告信号を発することを特徴としている。 
【００１０】
請求項５の貯湯式給湯機は、上記高温警告信号の出力によって、高温警告が風呂用リモコンＲに可視的に及び／又は音により表示されることを特徴としている。 
【００１１】
請求項６の貯湯式給湯機は、上記温水供給部は、上記貯湯タンク２から供給される高温水と外部から供給される水とを混合することにより、上記浴槽４内に供給する温水を追加注湯温度に調整するものであることを特徴としている。 
【発明の効果】
【００１２】
請求項１〜請求項６の貯湯式給湯機では、高温湯が浴槽４内に供給されるときには、使用者のその旨が告知されるので、使用上の安全性を確保できる。この場合、請求項３のように構成すれば温度センサが不要であるため構成を簡素化できるし、請求項４のように温度センサ２４を用いれば、制御の確実性が向上する。特に、請求項５にように、風呂用リモコンＲに表示するようにすれば、一段と安全性が向上する。また、請求項６のように構成すれば、追加注湯温度への調整を確実に行えることから、浴槽４内に目標湯量でかつ目標温度の温湯を確実にはることができる。 
【発明を実施するための最良の形態】
【００１３】
次に、この発明の貯湯式給湯機の具体的な実施の形態について、図面を参照しつつ詳細に説明する。図１は、この発明の貯湯式給湯機の実施形態を示す構成図である。貯湯式給湯機は、同図に示すように、加熱部の一例としてのヒートポンプユニット１と、上記ヒートポンプユニット１により加熱された温水を貯える貯湯タンク２と、上記貯湯タンク２から供給された温水と浴槽４内の湯との間で熱交換する追い焚き用の風呂用熱交換器３と、制御装置１０とを備えている。
【００１４】
上記ヒートポンプユニット１の入力側に配管３１の一端を接続し、配管３１の他端を貯湯タンク２の下側に接続している。一方、ヒートポンプユニット１の出力側に配管３２の一端を接続し、配管３２の他端を貯湯タンク２の上側に接続している。上記配管３１にポンプ１１を介設し、ポンプ１１により貯湯タンク２内の温水(または水)を配管３１、ヒートポンプユニット１、配管３２を介して循環させる。
【００１５】
また、貯湯タンク２の下側に給水配管３３を接続すると共に、その給水配管３３に給水配管３４の一端を接続している。この給水配管３４の他端を混合弁２５の一方の入力に接続し、混合弁２５の他方の入力を給湯配管３５を介して貯湯タンク２の上側に接続している。
【００１６】
また、上記貯湯タンク２の上側と風呂用熱交換器３の一次側かつ上側とを配管３６を介して接続し、貯湯タンク２の下側と風呂用熱交換器３の一次側かつ下側とを配管３７を介して接続している。上記配管３７にポンプ１２を介設し、ポンプ１２により貯湯タンク２内の温水を配管３６、風呂用熱交換器３、配管３７を介して循環させる。
【００１７】
また、上記風呂用熱交換器３の二次側かつ下側と浴槽４の循環口２０とを配管３８を介して接続し、風呂用熱交換器３の二次側かつ上側と浴槽４の循環口２０とを配管３８を介して接続している。上記配管３８にポンプ１３を介設し、ポンプ１３により浴槽４内の湯を配管３８、風呂用熱交換器３、配管３９を介して循環させる。上記風呂用熱交換器３の二次側を介して浴槽４内の湯が循環することによって、貯湯タンク２内から供給される温水との熱交換により浴槽４内の湯が加熱される。
【００１８】
上記配管３８に、浴槽４内の水位を検出する湯量センサの一例としての水位センサ２１と、浴槽４内の湯温を検出するための温度センサ２２を配設している。
【００１９】
また、上記混合弁２５の出口に給湯配管４０の一端が接続され、その給湯配管４０の他端を配管３９に接続している。上記給湯配管４０に、給湯湯量を検出するための流量センサ２３と、給湯温度を検出するための温度センサ２４を配設している。上記給水配管３３、３４と混合弁２５と給湯配管３５、４０とで温水供給部を構成している。上記貯湯タンク２内の温水は、給水配管３３からの給水により押し上げられて、貯湯タンク２内の上部の高温水が給湯配管３５から押し出されて給湯される。
【００２０】
図示しないが、上記ヒートポンプユニット１は、圧縮機、凝縮器（水加熱器）、膨張手段、蒸発器が環状に接続された冷媒回路を備え、凝縮器で発生する熱を利用してポンプ１１により循環された温水を加熱する。この実施形態では、ヒートポンプユニット１により貯湯タンク２内の上部に供給される高温水の温度を８０℃にしている。
【００２１】
上記制御装置１０は、マイクロコンピュータと入出力回路などからなり、水位センサ２１、温度センサ２２、流量センサ２３、温度センサ２４からの検出信号に基づいて、ヒートポンプユニット１、ポンプ１１、混合弁２５などを制御する。また、上記制御装置１０は、湯量センサである水位センサ２１より検出された水位(残り湯の湯量に相当)と目標湯量に基づいて、追加注湯運転において目標湯量にするための追加注湯量(目標湯量−残り湯の湯量)を算出する追加注湯量算出部１０aと、上記追加注湯量算出部１０aにより算出された追加注湯量と、追加注湯運転において温水供給部から供給される温水の温度である追加注湯温度と、湯量センサにより検出された残り湯の湯量と、温度センサにより検出された残り湯の湯温と、湯はり終了時の浴槽４内の目標湯温に基づいて、追い焚き熱量を算出する追い焚き熱量算出部１０bと、上記追い焚き熱量算出部１０bにより算出された追い焚き熱量に基づいて、追加注湯運転後に浴槽４内の湯を温める追い焚き運転が必要か否かを判別する追い焚き運転判別部１０cとを有している。
【００２２】
図２は上記貯湯式給湯機の制御装置１０の動作を説明するフローチャートを示しており、図２に従って制御装置１０の湯はり処理の動作を以下に説明する。
【００２３】
まず、ステップＳ１で残り湯があると判別すると、ステップＳ２に進む一方、残り湯がないと判別すると、ステップＳ１０に進み、通常の湯はり運転を行って処理を終了する。ここで、制御装置１０は、水位センサ２１により検出された浴槽４内の水位に基づいて、浴槽４内の残り湯の有無を判別する。また、通常の湯はり運転は、制御装置１０により混合弁２５を制御して、貯湯タンク２内の温水と給水配管３４からの水を混合して目標湯温の温水を目標湯量だけ浴槽４内に給湯する。
【００２４】
次に、ステップＳ２で残り湯の湯量と温度を検出する。ここで、制御装置１０は、水位センサ２１により検出された浴槽４内の水位に基づいて、浴槽４内の湯量を推定する。すなわち、浴槽４内は水位に応じて水平断面形状が異なるので、予め水位に応じた湯量を測定(または計算)し、その測定データ(または計算データ)を用いて浴槽４内の湯量を推定するのである。また、浴槽４内の残り湯の温度は、ポンプ１３を所定時間運転して浴槽４内の残り湯を配管３８、風呂用熱交換器３、配管３９を介して循環させて、温度センサ２２により検出する。
【００２５】
次に、ステップＳ３に進み、追加注湯量と追加注湯温度を算出する。ここで、追加注湯量は、ステップＳ２で検出された残り湯の湯量と目標湯量に基づいて、追加注湯量算出部１０aにより目標湯量にするための追加注湯量を算出する。また、追加注湯温度は、できるだけ追加注湯運転後に浴槽４内の湯温が目標湯温になるように設定するが、安全上、上限温度を６０℃としている。
【００２６】
そして、次のステップＳ４においては、追加注湯温度が５０℃以上であるのか否かの判断を行い、５０℃よりも温度の低い場合には、ステップＳ５で、そのまま追加注湯運転を行い、５０℃以上の高温である場合には、ステップＳ６において、リモコンに高温警告信号を出力してからステップＳ５に移行して追加注湯運転を行う。
【００２７】
追加注湯運転は、制御装置１０により混合弁２５を制御して、貯湯タンク２内の温水と給水配管Ｌ１４からの水を混合して追加注湯温度の温水を生成し、生成した追加注湯温度の温水を給湯配管４０、配管３９を介して浴槽４内に供給する。このとき、流量センサ２３により検出された流量に基づいて、混合された温水を追加注湯量だけ浴槽４内に供給する。
【００２８】
次に、ステップＳ７に進み、ステップＳ３において追加注湯量算出部１０aにより算出された追加注湯量および追加注湯温度と、ステップＳ２で検出された残り湯の湯量および湯温と、浴槽４内の目標湯温に基づいて、追い焚き熱量算出部１０bにより追い焚き熱量を算出する。
【００２９】
次に、ステップＳ８に進み、追い焚き運転が必要と判別すると、ステップＳ９に進む。ここで、ステップＳ７で算出された追い焚き熱量に基づいて、追い焚き運転判別部１０cにより追加注湯運転後の浴槽４内の残り湯を温める追い焚き運転が必要か否かを判別する。そして、ステップＳ９では、追い焚き運転を行い、この処理を終了する。
【００３０】
ここで、追い焚き運転は、ポンプ１３により風呂用熱交換器３を介して浴槽４内の湯を循環させて、風呂用熱交換器３により貯湯タンク２内の温水と浴槽４内の湯との間で熱交換することにより、浴槽４内の残り湯に対してステップＳ７で追い焚き熱量算出部１０bにより算出された追い焚き熱量分の追い焚きを行う。
【００３１】
一方、ステップＳ８で追い焚き運転が必要ないと判別すると、ステップＳ９をスキップして、この処理を終了する。
【００３２】
上記フローチャートにおいて、追加注湯温度が５０℃以上の高温である場合には、ステップＳ６において、リモコンに高温警告信号を出力するが、そのときの風呂用リモコンＲの表示状態を図３に示している。すなわち、（ａ）湯はり開始前の状態、（ｂ）湯はりを開始した状態、（ｃ）湯はり中であって、高温警告信号が出力されて「高温警告」をしている状態、（ｄ）湯はりの完了した状態を順番に表示していくのである。一方、ステップＳ４において、高温警告信号を出力しない場合には、上記同様に、（ａ）（ｂ）の表示を行った後、同図（ｅ）のように、湯はり中である旨の表示を行うのみで、その後、（ｄ）の状態へと移行して通常表示へと復帰する。
【００３３】
上記風呂用リモコンＲにおいては、文字によって警告を行っているが、これは他の記号を用いて警告を行うようにしてもよいし、これらに代え、あるいはこれらと共に、音声、あるいは他の音によって警告をしてもよい。
【００３４】
また、上記実施形態では、フローチャートのステップＳ４において、ステップＳ３における追加注湯温度の算出結果に基づいて、高温警告信号を出力するようにしているが、給湯配管４０に取付けた温度センサ２４での検出温度に基づいて高温警告信号を出力するように構成してもよい。さらに、ステップＳ３での算出結果と温度センサ２４での検出温度との両者によって高温警告信号を出力するように構成してもよい。
【図面の簡単な説明】
【００３５】
【図１】この発明の貯湯式給湯機の実施形態の全体回路図である。
【図２】上記実施形態における制御方式を説明するフローチャート図である。
【図３】上記実施形態において用いる風呂用リモコンの動作状態を経時的に示す説明図である。
【符号の説明】
【００３６】
２・・貯湯タンク、３・・風呂用熱交換器、２４・・温度センサ、Ｒ・・風呂用リモコン
【図１】
0004816593.tif 000002
【図２】
0004816593.tif 000003
【図３】
0004816593.tif 000004